(57)【要約】【課題】シール部品の部品点数削減と作業効率の向上を図ることが可能な表示装置及びその前面カバーを提供する。【解決手段】本発明の前面カバー２０では、表示窓２４の周縁部をシールする第１の窓用シール部６０と、前面カバー２０と表示装置１１との間をシールする外周シール部３１とを内側シール体２２に一体形成したので、部品点数の削減と組み付け作業の軽減が図られる。また、内側シール体２２は、カバー本体２１の内側に嵌合される筺形をなしたので、表示装置１１の前面をカバー本体２１と内側シール体２２とで二重に覆った状態になり、シール性が向上する。【選択図】  図１
2004309335.tif 000002
【特許請求の範囲】
【請求項１】
一面が開放した筺形をなして、その開放口を表示装置の前面に押し付けて取り付けられるカバー本体と、
一面が開放した筺形をなして、前記カバー本体の内側に嵌合された内側シール体と、
前記カバー本体に貫通形成した表示窓と、
前記表示窓に対応させて前記内側シール体に貫通形成した内側窓と、
前記内側シール体の内側に宛われて前記表示窓を閉塞した透光部材と、
前記内側シール体を貫通して、前記カバー本体と前記透光部材とを固定した固定手段とを備え、
前記内側シール体には、前記カバー本体のうち前記表示窓の周縁部と前記透光部材との間に挟まれて押し潰された窓用シール部と、前記内側シール体の開放口の縁部から側方に張り出して、前記表示装置と前記カバー本体との間に挟まれて押し潰される外周シール部とが一体形成されたことを特徴とする前面カバー。
【請求項２】
前記透光部材には、前記表示窓の内側に嵌合される表示窓用突部が突出形成され、
前記窓用シール部には、前記表示窓の内周面と前記表示窓用突部の外周面との間に嵌合されて隙間を塞ぐ筒壁が備えられたことを特徴とする請求項１に記載の前面カバー。
【請求項３】
前記窓用シール部には、前記内側窓の周縁部から前記カバー本体に向かって起立した突条が備えられ、前記カバー本体には、前記突条を収容した溝部が陥没形成されたことを特徴とする請求項１又は２に記載の前面カバー。
【請求項４】
前記表示窓を複数備えると共に、一の表示窓は前記表示装置に備えたＬＥＤに対向配置されるＬＥＤ用表示窓を構成し、
前記透光部材には、前記ＬＥＤの先端部を受容可能なＬＥＤ受容部が陥没形成されたことを特徴とする請求項１乃至３に記載の前面カバー。
【請求項５】
前記カバー本体及び前記透光部材には、前記表示装置に備えたボタンと対向させてボタン用操作孔が貫通形成され、
前記内側シール体には、前記ボタン用操作孔に対向配置されかつ押圧操作により前記ボタンに押し付け可能なボタン押圧部と、前記ボタン押圧部の周りを囲みかつ前記ボタン用操作孔の周縁部と前記透光部材との間に挟まれて押し潰されるボタン用シール部とが一体形成されたことを特徴とする請求項１乃至４の何れかに記載の前面カバー。
【請求項６】
前記ボタン押圧部は、前記透光部材から離れる側に膨出して前記ボタン用操作孔に嵌合されると共に、前記ボタン押圧部の内面から前記表示装置に向かって押圧軸部が突出形成され、
前記透光部材の前記ボタン用操作孔に前記押圧軸部を挿通して、その押圧軸部の傾動を規制したことを特徴とする請求項５に記載の前面カバー。
【請求項７】
上記請求項１乃至６の何れかに記載の前面カバーを前面に固定して備えたことを特徴とする表示装置。
【発明の詳細な説明】
【０００１】
【発明の属する技術分野】
本発明は、表示装置及びその前面カバーに関する。
【０００２】
【従来の技術】
図７には、従来の表示装置６が示されている。この表示装置６の前面には、筺形の前面カバー２が備えられ、前面カバー２と表示装置６の前面との間には、シール部材としてのパッキン５が挟まれている。また、前面カバー２に形成した表示窓３の縁部と、その表示窓３を塞ぐ透光部材４との間にも図示しない別のパッキンその他のシール部材が挟まれている。さらに、前面カバー２にボタン操作窓（図示せず）を設けた場合には、そのボタン操作窓にも、別途、シール処理が施されていた。
【発明が解決しようとする課題】
しかしながら、上記した従来の構成では、複数箇所を別々にシールする必要があったので、シール作業に手間がかかっていた。
【０００３】
なお、本願の発明に係る先行技術文献は、見つけることができなかった。
【０００４】
本発明は上記事情に鑑みてなされ、シール部品の部品点数削減と作業効率の向上を図ることが可能な表示装置及びその前面カバーの提供を目的とする。
【０００５】
【課題を解決するための手段】
上記目的を達成するためになされた請求項１の発明は、一面が開放した筺形をなして、その開放口を表示装置の前面に押し付けて取り付けられるカバー本体と、一面が開放した筺形をなして、カバー本体の内側に嵌合された内側シール体と、カバー本体に貫通形成した表示窓と、表示窓に対応させて内側シール体に貫通形成した内側窓と、内側シール体の内側に宛われて表示窓を閉塞した透光部材と、内側シール体を貫通して、カバー本体と透光部材とを固定した固定手段とを備え、内側シール体には、カバー本体のうち表示窓の周縁部と透光部材との間に挟まれて押し潰された窓用シール部と、内側シール体の開放口の縁部から側方に張り出して、表示装置とカバー本体との間に挟まれて押し潰される外周シール部とが一体形成されたところに特徴を有する。
【０００６】
請求項２の発明は、請求項１に記載の前面カバーにおいて、透光部材には、表示窓の内側に嵌合される表示窓用突部が突出形成され、窓用シール部には、表示窓の内周面と表示窓用突部の外周面との間に嵌合されて隙間を塞ぐ筒壁が備えられたところに特徴を有する。
【０００７】
請求項３の発明は、請求項１又は２に記載の前面カバーにおいて、窓用シール部には、内側窓の周縁部からカバー本体に向かって起立した突条が備えられ、カバー本体には、突条を収容した溝部が陥没形成されたところに特徴を有する。
【０００８】
請求項４の発明は、請求項１乃至３に記載の前面カバーにおいて、表示窓を複数備えると共に、一の表示窓は表示装置に備えたＬＥＤに対向配置されるＬＥＤ用表示窓を構成し、透光部材には、ＬＥＤの先端部を受容可能なＬＥＤ受容部が陥没形成されたところに特徴を有する。
【０００９】
請求項５の発明は、請求項１乃至４の何れかに記載の前面カバーにおいて、カバー本体及び透光部材には、表示装置に備えたボタンと対向させてボタン用操作孔が貫通形成され、内側シール体には、ボタン用操作孔に対向配置されかつ押圧操作によりボタンに押し付け可能なボタン押圧部と、ボタン押圧部の周りを囲みかつボタン用操作孔の周縁部と透光部材との間に挟まれて押し潰されるボタン用シール部とが一体形成されたところに特徴を有する。
【００１０】
請求項６の発明は、請求項５に記載の前面カバーにおいて、ボタン押圧部は、透光部材から離れる側に膨出してボタン用操作孔に嵌合されると共に、ボタン押圧部の内面から表示装置に向かって押圧軸部が突出形成され、透光部材のボタン用操作孔に押圧軸部を挿通して、その押圧軸部の傾動を規制したところに特徴を有する。
【００１１】
請求項７の発明に係る表示装置は、上記請求項１乃至６の何れかに記載の前面カバーを前面に固定して備えたところに特徴を有する。
【００１２】
【発明の作用及び効果】
＜請求項１の発明＞
請求項１の前面カバーでは、表示窓の周縁部をシールする窓用シール部と、前面カバーと表示装置との間をシールする外周シール部とを内側シール体に一体形成したので、部品点数の削減と組み付け作業の軽減が図られる。また、内側シール体は、カバー本体の内側に嵌合される筺形をなしたので、表示装置の前面をカバー本体と内側シール体とで二重に覆った状態になり、シール性が向上する。
【００１３】
＜請求項２の発明＞
請求項２の前面カバーでは、窓用シール部に備えた筒壁が、表示窓と表示窓用突部との嵌合部分の隙間を塞いで、表示窓におけるシール性を向上させることができる。
【００１４】
＜請求項３の発明＞
請求項３の前面カバーでは、窓用シール部に備えた突条を、カバー本体に形成した溝部に収容したので、表示窓におけるシール性が一層向上する。
【００１５】
＜請求項４の発明＞
請求項４の前面カバーでは、透光部材に形成したＬＥＤ受容部に、ＬＥＤの先端部を受容することで、ＬＥＤの光を透光部材に効率良く透過させることが可能になる。
【００１６】
＜請求項５の発明＞
請求項５の前面カバーでは、窓用シール部と外周シール部に加えて、カバー本体のボタン用操作孔をシールするボタン用シール部を内側シール体に一体形成したので、更なる部品点数の削減と組み付け作業の軽減が図られる。
【００１７】
＜請求項６の発明＞
請求項６の前面カバーでは、ボタン押圧部の内面から突出した押圧軸部を、透光部材のボタン用操作孔で案内して押圧軸部の傾動を規制したので、ボタン押圧部による押圧操作を安定して行うことができる。
【００１８】
＜請求項７の発明＞
請求項７の表示装置は、前面カバーを前面に固定して備えたので、従来の表示装置に比べて部品点数の削減と組み付け作業の軽減が図られる。
【００１９】
【発明の実施の形態】
＜第１実施形態＞
以下、本発明の第１実施形態を図１〜図５に基づいて説明する。図１には、本発明の表示装置１１が示されている。この表示装置１１は、図示しない計測器から信号を受けて計測結果を表示する。表示装置１１の前面には、環状のシール面１１Ｗが形成され、その環状のシール面１１Ｗに囲まれた前面計器部１１Ｋに、表示器１５、ボタン１６等の種々の機器が組みつけられている。表示器１５は、前面計器部１１Ｋのほぼ中央部分に配置されている。また、ボタン１６，１６は、表示器１５を挟んだ両側に配置されている。さらに、表示器１５の上方にはＬＥＤ１７が前方に突出して備えられている。なお、前面計器部１１Ｋには、上記以外にも、回路基板や感震器等が組み付けられている。
【００２０】
表示装置１１の前面には、前面計器部１１Ｋを覆うように本発明に係る前面カバー２０が取り付けられている。前面カバー２０は、カバー本体２１、内側シール体２２及び透光部材２３を互いに組み付けてなる。
【００２１】
カバー本体２１は、偏平筺形状をなし、その偏平方向の一端面が開放している。カバー本体２１のうち、表示装置１１の表示器１５と対向した部分には、横長の表示窓２４が貫通形成されている。表示窓２４の左右両側には、表示装置１１のボタン１６，１６に対向させて円形のボタン用操作孔２５，２５が貫通形成されている。また、表示窓２４の上側には、ＬＥＤ１７に対向させて、円形のＬＥＤ用表示窓２６が貫通形成されている。さらに、表示窓２４の各角部近傍には、４つの螺子孔４５Ａが形成されている（図５参照。同図には１対の螺子孔４５Ａのみが示されている）。
【００２２】
内側シール体２２は、例えばエラストマーで構成されており、図２に示すように、カバー本体２１より一回り小さい一端開放の偏平筺形状をなし、カバー本体２１の内側に嵌合されている。また、内側シール体２２の開口端の縁部からは側方に向かって本発明に係る外周シール部３０が張り出している。
【００２３】
図１に示すように、内側シール体２２には、カバー本体２１の表示窓２４に対応させて内側窓３１が貫通形成されている。内側シール体２２のうち内側窓３１の周縁部は、第１の窓用シール部６０をなし、この第１の窓用シール部６０には、内側窓３１の開口縁から前方に突出した第１の筒壁３２が備えられている。
【００２４】
内側シール体２２には、カバー本体２１のＬＥＤ用表示窓２６に対応させてＬＥＤ用の内側窓３９が貫通形成されている。ＬＥＤ用の内側窓３９の周縁部は、第２の窓用シール部６１をなし、この第２の窓用シール部６１には、内側窓３９の開口縁から前方に突出した第２の筒壁３８が備えられている。
【００２５】
内側シール体２２には、カバー本体２１の複数の螺子孔４５Ａ（図５参照）に対応させて螺子挿通孔４４Ｓが形成されている。そして、図５に示すように、各螺子挿通孔４４Ｓの開口縁から後方に第３の筒壁４６（図５参照）が突出形成されている。
【００２６】
図２に示すように、内側シール体２２の前面のうち内側窓３１の左右両側には、ボタン押圧部３３，３３が成形されている。各ボタン押圧部３３は、ドーム状をなして内側シール体２２の前面から膨出しており、カバー本体２１のボタン用操作孔２５，２５に嵌合している。そして、ボタン押圧部３３，３３の周縁部がボタン用シール部６３，６３となっている。
【００２７】
また、ボタン押圧部３３の中心部分からは、後側（表示装置１１側）に向けて押圧軸部３５が突出形成されており、押圧軸部３５の先端が表示装置１１の前面から突出したボタン１６に突き合わされている。そして、ボタン押圧部３３を押圧することで、押圧軸部３５がボタン１６を押下することができる。
【００２８】
透光部材２３は、例えば、透明なプラスチックで構成され、図１に示すように、全体として横長の薄板状をなしている。透光部材２３の四隅には、螺子挿通孔４４が形成されており、図５に示すように、各螺子挿通孔４４に挿通した螺子４５を、内側シール体２２の螺子挿通孔４４Ｓにも挿通させて、カバー本体２１の螺子孔４５Ａに締め付けることで、透光部材２３がカバー本体２１との間に内側シール体２２を挟んだ状態に固定されている。そして、図２に示すように、カバー本体２１における表示窓２４の周縁部と透光部材２３との間に第１の窓用シール部６０が挟まれて押し潰されると共に、ボタン用操作孔２５の周縁部と透光部材２３との間にボタン用シール部６３が挟まれて押し潰され、さらに、図３に示すように、ＬＥＤ用表示窓２６の周縁部と透光部材２３との間に第２の窓用シール部６１が挟まれて押し潰される。これにより、表示窓２４、ボタン用操作孔２５及びＬＥＤ用表示窓２６が密閉されている。
【００２９】
透光部材２３の前面には、内側窓３１に嵌合する表示窓用突部４０とＬＥＤ用表示窓２６に嵌合するＬＥＤ用突出窓部４１とが突出形成されている。そして、図３に示すように、内側窓３１の内周面と表示窓用突部４０の外周面との間に第１の窓用シール部６０に備えた第１の筒壁３２が挟まれると共に、ボタン用操作孔２５の内周面とＬＥＤ用突出窓部４１の外周面との間に第２の窓用シール部６１に備えた第２の筒壁３８が挟まれている。これらにより、表示窓２４及びＬＥＤ用表示窓２６におけるシール性能が強化されている。また、図５に示すように、透光部材２３のうち螺子挿通孔４４の内周面と螺子４５との隙間には、内側シール体２２の第３の筒壁４６が嵌合されている。これにより、螺子孔４５Ａがカバー本体２１を貫通した構成の場合でも、高いシール性を保持することができる。
【００３０】
図２に示すように、透光部材２３のうちボタン１６，１６と対向した位置には、ボタン用挿通孔４３，４３が貫通形成されており、ここに、ボタン押圧部３３から延びた押圧軸部３５が挿通されている。これにより、ボタン押圧部３３の押圧操作時に押圧軸部３５が傾動することが防止され、ボタン１６を確実に押圧することが可能となっている。また、ボタン用挿通孔４３の開口幅は、押圧軸部３５の基端部に段付状に形成された段差部３６の幅よりも小さくなっており、ボタン押圧部３３が押圧された場合に、段差部３６が透光部材２３のボタン用挿通孔４３の周縁部に突き当たり、ボタン押圧部３３がカバー本体２１の内側へ過度に押し込まれることが防止されている。
【００３１】
また、透光部材２３のうちＬＥＤ用突出窓部４１の裏側には、ＬＥＤ受容部４２が陥没形成されており、このＬＥＤ受容部４２に表示装置１１の前面から突出したＬＥＤ１７の先端部分が収容されている（図３を参照）。これにより、ＬＥＤ１７の光を透光部材２３に効率良く透過させることが可能になる。
【００３２】
次に、上記実施形態の作用及び効果について説明する。
前面カバー２０を構成する各部品同士を組み付けるには、以下のようである。即ち、カバー本体２１の内側に内側シール体２２を嵌め込む。すると、内側シール体２２に一体形成された第１の筒壁３２、ボタン押圧部３３，３３及び第２の筒壁３８が、それぞれ、カバー本体２１に形成された表示窓２４、ボタン用操作孔２５，２５及びＬＥＤ用表示窓２６に嵌合される。また、内側シール体２２の開口部分に一体形成された外周シール部３０が、カバー本体２１の開口縁部に敷設される。次いで、内側シール体２２の後側から透光部材２３を宛がい、透光部材２３とカバー本体２１との間に内側シール体２２を挟んだ状態として螺子４５で締め付ける。これにより、カバー本体２１と透光部材２３との間に内側シール体２２における第１及び第２の窓用シール部６０，６１等が挟まれて複数の部位が一度にシールされる。
【００３３】
上記のようにして組み付けられた前面カバー２０は、表示装置１１の前面計器部１１Ｋを覆うように宛って螺子止めされる。これにより、内側シール体２２から張り出し形成された外周シール部３０がカバー本体２１と表示装置１１との間に挟まれて、表示装置１１と前面カバー２０との取付部分のシールがなされる。以上により、表示装置１１の前面の前面計器部１１Ｋに対する防滴及び防塵が図られる。
【００３４】
このように本実施形態によれば、前面カバー２０に必要とされるシール部の全てを内側シール体２２に一体形成したので、部品点数の削減と組み付け作業の軽減が図られる。また、内側シール体２２は、カバー本体２１の内側に嵌合される筺形をなしたので、表示装置１１の前面をカバー本体２１と内側シール体２２とで二重に覆った状態になり、シール性が向上する。
なお、本発明における筺形とは、内部に空間を有する形状をいい、必ずしも直方体形状でなくてもよい。従って、前面カバーは半球形状のものであってもよい。
【００３５】
＜第２実施形態＞
本実施形態は、図６に示されており、前記第１実施形態とは第１の窓用シール部６０の構造が異なる。即ち、本実施形態では、内側シール体２２における第１の窓用シール部６０’には、内側窓３１の周縁部からカバー本体２１に向けて突条５０が突出形成されている。詳細には、突条５０は、内側窓３１の開口縁よりも若干外側の部分に配置されて内側窓３１を囲むように形成されている。一方、カバー本体２１の裏面のうち表示窓２４の周りには、突条５０を収容する溝部５１が陥没形成されている。その他の構造は第１実施形態と同様であるので、重複説明を省略する。
【００３６】
本実施形態によれば、第１実施形態と同様に作用効果に加えて、第１の窓用シール部６０’に備えた突条５０が、カバー本体２１に形成した溝部５１に収容されたので、表示窓２４におけるシール性が一層向上する。
【００３７】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記第１及び第２実施形態では、内側シール体２２の内側窓３１の周縁部に筒壁３２又は突条５０の何れか一方のみが突出形成されていたが、これら筒壁３２及び突条５０の両方を備えていてもよい。
【００３８】
（２）上記第１及び第２実施形態では、透光部材２３に形成されたボタン用挿通孔４３には、ボタン押圧部３３に形成された押圧軸部３５が挿通されていたが、ボタン１６が挿通されていてもよい。
【００３９】
（３）上記第１及び第２実施形態では、表示器１５及びＬＥＤ１７に対向した部分に表示窓２４及びＬＥＤ用表示窓２６が貫通形成されていたが、その他の部分に形成してもよい。
【図面の簡単な説明】
【図１】本発明の第１実施形態に係る前面カバーの分解斜視図
【図２】前面カバーの平断面図
【図３】前面カバーの部分側断面図
【図４】前面カバーの背面図
【図５】前面カバーの側断面図
【図６】第２実施形態に係る前面カバーの平断面図
【図７】従来の前面カバーの分解斜視図
【符号の説明】
１１…表示装置
１６…ボタン
２０…前面カバー
２１…カバー本体
２２…内側シール体
２３…透光部材
２４…表示窓
２５…ボタン用操作孔
２６…ＬＥＤ用表示窓
３０…外周シール部
３１…内側窓
３２，３８…筒壁
３３…ボタン押圧部
３５…押圧軸部
３９…内側窓
４０…表示窓用突部
４１…ＬＥＤ用突出窓部
４２…ＬＥＤ受容部
４３…ボタン用挿通孔
５０…突条
５１…溝部
６０，６０’，６１…窓用シール部
６３…ボタン用シール部
【図１】
2004309335.tif 000003
【図２】
2004309335.tif 000004
【図３】
2004309335.tif 000005
【図４】
2004309335.tif 000006
【図５】
2004309335.tif 000007
【図６】
2004309335.tif 000008
【図７】
2004309335.tif 000009